(57)【特許請求の範囲】
【請求項１】
折曲線を介して連設された２枚の本体部材からなる紙製のハンガー本体と、折曲線に対して対称的な形状に形成された２枚のフック部材からなる紙製のフック部とから構成される紙製ハンガーであって、
前記ハンガー本体の前記折曲線の中央部には、当該折曲線に沿った所定長のスリットが形成され、前記２枚の本体部材のいずれか一方の本体部材内には、前記スリットの両端部がそれぞれの頂点となるように「ハ」の字型に２本の切断線が形成され、
前記２枚のフック部材のそれぞれの下側には、両側端部に形成された２つの切込み部を介して係止部が形成され、当該係止部は前記スリットの長さよりも長く且つ前記２本の切断線の下側の端部間の距離以下の幅を有し、前記２つの切込み部に狭まれた連続部分の幅は前記スリットの長さと略等しいことを特徴とする紙製ハンガー。
【発明の詳細な説明】
【０００１】
【発明の属する技術分野】
本発明は、商品の展示等に用いられる紙製ハンガーに関するものである。
【０００２】
【従来の技術】
現在、環境問題に対する意識の高まりから、合成樹脂に比較して廃棄処理を施した最終廃棄物の量が少なく且つその毒性もない紙によって全ての部材が構成されている紙製ハンガーが多く提案されている。
【０００３】
本願出願人も、ハンガー本体に確実に係止させることができる強度の高いフック部を含む全ての部材が紙によって構成されている紙製ハンガーを既に提案している（特願平１１−３２３１９３号）。
【０００４】
本願出願人が既に提案した紙製ハンガーを図４（ａ）に示す。
【０００５】
図４（ａ）において、フック部１０は折曲線１１に対して対称的な形状に形成された２枚のフック部材を、折曲線１１に沿って折り曲げることによって構成されている。このフック部１０の下側には切込み部を介して係止部１６，１７が形成されている。
【０００６】
商品である物品が固定されるハンガー本体２０は、上縁部２２の両側の折曲線２１に沿って折り曲げられた本体部材２０ａ，２０ｂによって構成されており、上縁部２２の中央にはフック部１０を係止するためのスリットが設けられている。
【０００７】
以上のように構成された紙製ハンガーは以下のようにして組み立てられる。
【０００８】
先ず、図４（ｂ）に示したように２枚のフック部材を折曲線１１に沿って折り曲げてフック部１０を構成した後、フック部１０の係止部１６を折曲線１８に沿って折り曲げる。
【０００９】
ここで、フック部１０の係止部１６，１７の上部に位置する２つの切込み部１３に狭まれた連続部分の幅Ｌ２は、ハンガー本体２０のスリット２３の長さＬ１と略等しい長さに選ばれているので、図４（ｂ）に示した状態で係止部１６，１７をハンガー本体のスリット２３に差し込む。
【００１０】
フック部１０の係止部１６，１７をスリット２３に差し込んだ状態を図５（ａ）に示す。
【００１１】
係止部１６，１７を、ハンガー本体２０のスリット２３に差し込む工程に際しては、係止部１６が折り曲げられているので、係止部１７を先にスリット２３に差し込み、その後、折り曲げられた係止部１６をスリット２３に差し込むようにする。
【００１２】
この状態で、図５（ｂ）に示したように、折り曲げられている係止部１６を伸ばし、図４（ａ）に示したように、本体部材２０ａ，２０ｂをそれぞれ折曲線２１に沿って折り曲げて組立てを終了する。
【００１３】
以上のようにして組立てられたこの紙製ハンガーにおいては、図４（ｂ）に示した連続部分の幅Ｌ２とスリット２３の長さＬ１とが略等しくなっているので、フック部１０がハンガー本体２０のスリット２３内で移動せず、従ってこのような移動に伴うフック部１０または／およびハンガー本体２０の損傷を防ぐことができる。
【００１４】
【発明が解決しようとする課題】
以上のように構成された紙製ハンガーにおいては、その強度が高いので使用に際しては全く問題はない。
【００１５】
しかしながら、この紙製ハンガーを組み立てる場合には、先に説明したように、フック部１０の係止部１６を折り曲げた後、係止部１６，１７をスリット２３に差し込み、その後係止部１６を伸ばすという作業が必要となり、この作業が組立時間の短縮を阻む要因となっていた。
【００１６】
本発明の目的は、ハンガー本体にフック部を容易に装着することができる全ての部材が紙からなる紙製ハンガーを提供することにある。
【００１７】
【課題を解決するための手段】
以上の目的を達成するために、本発明は、折曲線を介して連設された２枚の本体部材からなる紙製のハンガー本体と、折曲線に対して対称的な形状に形成された２枚のフック部材からなる紙製のフック部とから構成される紙製ハンガーであって、前記ハンガー本体の前記折曲線の中央部には、当該折曲線に沿った所定長のスリットが形成され、前記２枚の本体部材のいずれか一方の本体部材内には、前記スリットの両端部がそれぞれの頂点となるように「ハ」の字型に２本の切断線が形成され、前記２枚のフック部材のそれぞれの下側には、両側端部に形成された２つの切込み部を介して係止部が形成され、当該係止部は前記スリットの長さよりも長く且つ前記２本の切断線の下側の端部間の距離以下の幅を有し、前記２つの切込み部に狭まれた連続部分の幅は前記スリットの長さと略等しいことを特徴とするものである。
【００１８】
【発明の実施の形態】
以下、図面を参照して本発明の実施形態について説明する。
【００１９】
図１（ａ），（ｂ）は、本発明の一実施形態の構成を示す平面図であり、図１（ａ）はフック部の構成を示す平面図、図１（ｂ）はハンガー本体の構成を示す平面図である。
【００２０】
図１（ａ）に示すフック部１０と図１（ｂ）に示すハンガー本体２０とは共に、原材料となるボール紙等の紙を打抜機によって打ち抜くことによって製造することができる。
【００２１】
図１（ａ）に示すように、フック部１０は折曲線１１に対して対称的な形状に形成されている２枚のフック部材１０ａ，１０ｂによって構成されている。フック部材１０ａの下側には、両側端部に形成された切込み部１３ａを介して係止部１６ａ，１７ａが形成されており、それぞれに対応するフック部材１０ｂの下側には切込み部１３ｂおよび係止部１６ｂ，１７ｂが形成されている。
【００２２】
また、商品である物品が固定されるハンガー本体２０は、図１（ｂ）に示したように折曲線２１を介して連設された２枚の本体部材２０ａ，２０ｂによって構成されている。ハンガー本体２０の折曲線２１の中央部には、この折曲線２１に沿った所定長Ｌ１のスリット２３が形成されている。
【００２３】
本体部材２０ａ内には、スリット２３の両端部がそれぞれの頂点となるように、「ハ」の字型に２本の切断線２４，２５が形成されている。なお、この切断線２４，２５は本体部材２０ａではなく、本体部材２０ｂに設けてもよい。
【００２４】
ここで、図１（ａ）に示したフック部材１０ｂの切込み部１３ｂに狭まれた連続部分の幅Ｌ２は、図１（ｂ）に示したスリット２３の長さＬ１と略同じ値に選ばれている。また、図１（ａ）に示したフック部材１０ｂの係止部１６ｂ，１７ｂの幅Ｌ４は、図１（ｂ）に示したスリット２３の長さＬ１よりも長く、且つ２本の切断線２４，２５の下側の端部間の距離Ｌ３以下となるような値に選ばれている。
【００２５】
次に、以上のように構成された本実施形態の組立方法について説明する。
【００２６】
先ず、フック部材１０ａ，１０ｂを折曲線１１に沿って折り曲げてフック部１０を構成する。このようにして構成されたフック部１０には、図２（ａ）に示すように、切込み部１３と係止部１６，１７とが形成される。
【００２７】
このような状態で、図２（ｂ）に示すように、フック部１０の係止部１６，１７を、本体部材２０ａの切断線２４，２５に狭まれた部分の下に差し込み、フック部１０をＸ方向に押し込む。そして、図３（ａ）に示したように、切断線２４，２５の下端部の位置にフック部１０の切込み部１３が達したら、係止部１６，１７が本体部材２０ａの下側になるようにしてフック部１０をＹ方向に引く。
【００２８】
係止部１６，１７の上縁部がハンガー本体２０の折曲線２１の位置に達し、フック部１０がハンガー本体２０に係止された状態になったら、折曲線２１に沿って本体部材２０ａ，２０ｂを折り曲げて組立てを終了する。
【００２９】
以上説明したように本実施形態によれば、フック部１０の係止部１６，１７を、２つの切断線２４，２５に狭まれた部分に差し込んでから引くという簡単な操作でフック部１０をハンガー本体２０に装着することができる。
【００３０】
以上のようにして組立てられた本実施形態においては、先に説明した従来の紙製ハンガーと同様に、フック部１０がハンガー本体のスリット２３内で移動せず、このような移動に伴うフック部１０または／およびハンガー本体２０の損傷を防ぐことができる。
【００３１】
【発明の効果】
以上説明したように、本発明によれば、ハンガー本体にフック部を容易に装着することができる全ての部材が紙からなる紙製ハンガーを提供することができる。
【図面の簡単な説明】
【図１】本発明の一実施形態の構成を示す平面図である。
【図２】図１に示した実施形態の組立方法の説明図である。
【図３】図１に示した実施形態の組立方法の説明図である。
【図４】従来の紙製ハンガーの説明図である。
【図５】従来の紙製ハンガーの説明図である。
【符号の説明】
１０  フック部
１０ａ，１０ｂ  フック部材
１１，２１  折曲線
１３，１３ａ，１３ｂ  切込み部
１６，１６ａ，１６ｂ，１７，１７ａ，１７ｂ  係止部
２０  ハンガー本体
２０ａ，２０ｂ  本体部材
２３  スリット
２４，２５  切断線
Ｌ１，Ｌ３  長さ
Ｌ２，Ｌ４  幅
Ｘ，Ｙ  方向
【図１】
0003940888.tif 000002
【図２】
0003940888.tif 000003
【図３】
0003940888.tif 000004
【図４】
0003940888.tif 000005
【図５】
0003940888.tif 000006